(57)【要約】【課題】高摩擦材料を介在させる事によって携帯電話器を肩と耳との間に挟んでも携帯電話器を落としにくい構成とし、肩や首の疲れを軽減させようとすること。【解決手段】携帯電話器１を肩と耳との間に挟んで使用するに当り、携帯電話器と肩との間に介在物２（３）を介在させて使用する方法であり、かつ介在物２（３）の少なくとも携帯電話器１及び肩に接触する部分がゴムなどの高摩擦材料を有する構造であって、かくして携帯電話器を使用する様にした。【選択図】図１
2011056239.tif 000002
【特許請求の範囲】
【請求項１】
携帯電話器を肩と耳との間に挟んで使用するに当り、携帯電話器と肩との間に介在物を介在させて使用する方法であり、かつ前記介在物の少なくとも携帯電話器及び肩に接触する部分がゴムなどの高摩擦材料を有する構造であって、かくして成る携帯電話器を使用する使用方法。
【請求項２】
高摩擦材料製の介在物を予め接着剤で携帯電話器の表面に接着させておき、以って携帯電話器と肩との間に介在物を介在させて携帯電話器を肩と耳との間に挟んで使用する請求項１記載の使用方法。
【請求項３】
介在物が肩や首の疲れを軽減させるに足る所定の高さを有する介在物であり、以って携帯電話器と肩との間に介在物を介在させて携帯電話器を肩と耳との間に挟んで使用する請求項１記載の使用方法。
【請求項４】
吸盤、通し輪、クリップなどの固定具により介在物を携帯電話器に固定し、以って携帯電話器と肩との間に介在物を介在させて携帯電話器を肩と耳との間に挟んで使用する請求項３記載の使用方法。
【発明の詳細な説明】
【技術分野】
【０００１】  本発明は携帯電話器を肩と耳との間に挟んで使用する方法に係わり、携帯電話器の落下事故防止や肩、首の疲れを軽減する為の使用方法に関する。
【背景技術】
【０００２】  両手がふさがっている時（メモを取る時、両手に物を持っている時など）、携帯電話器を使用する方法としてこれを肩と耳との間に挟んで通話する方法がある。しかし、この使用方法では携帯電話器を落下させる恐れがあり、肩や首が疲れると云う問題点がある。
【発明の開示】
【発明が解決しようとする課題】
【０００３】  本発明の目的は、携帯電話器と肩との間にゴムなどの高摩擦材料を介在させる事によって携帯電話器を肩と耳との間に挟んでも携帯電話器を落としにくい構成とし、肩や首の疲れを軽減させようとするものである。
【課題を解決する為の手段】
【０００４】  本発明は上記目的を達成する為、携帯電話器を肩と耳との間に挟んで使用するに当り、携帯電話器と肩との間に介在物を介在させて使用する方法であり、かつ前記介在物の少なくとも携帯電話器及び肩に接触する部分がゴムなどの高摩擦材料を有する構造であって、かくして携帯電器を使用する様にした。
【発明の効果】
【０００５】  本発明によれば携帯電話器と肩との間に介在物を介在させて携帯電話器を肩と耳との間に挟んで使用するので、介在物の高摩擦力により携帯電話器を軽く挟んでも落下させる恐れはなく（従来は強く挟まないと落下させる恐れあり）、その為、肩や首の疲れが軽減される。そして図１（ロ）の様に介在物の高さＨが４〜５ｃｍもあれば肩や首の疲れが殆どなくなり、７〜８ｃｍあれば殆ど首を曲げずに通話できる利点がある。
【発明を実施する為の最良の形態】
【０００６】  図１は本発明による携帯電話器の使用方法を示し、先ず図１（イ）においてゴム（例えばシリコンゴム）などの高摩擦材料製の介在物２（花や動物などの気に入ったデザインの絵柄で、１〜３ｍｍ位の厚さとする）を予め接着剤により携帯電話器１の表面（ヒョウメンと読み、画面の裏側にある表面とする）に接着させておくのである。こうすると両手がふさがっている時は（メモを取る時、両手に物を持っている時など）携帯電話器１を肩と耳との間に挟んで使用する事になるが、軽く挟んでも介在物２の高摩擦力により携帯電話器１の落下事故を防ぐ事ができる。その結果、肩や首の疲れが軽減される。図１（ロ）は介在物が肩や首の疲れを軽減させるに足る所定の高さを有する様にしたもので、介在物３（花や動物などの気に入った形の立体物とする――介在物３の少なくとも携帯電話器１及び肩（人体の肩）に接触する部分がゴムなどの高摩擦材料を有する構造とする）を普段はアクセサリーとして紐５で結び付けておき、携帯電話器１を使う時はこれを吸盤４（固定具）で電話器の表面に固定して、肩と耳との間に挟んで通話するのである、こうすると、介在物３の高摩擦力により携帯電話器を肩と耳との間に軽く挟んでも落下させる恐れがないので、肩や首の疲れが大幅に軽減される。（この場合、固定具としての吸盤４が無くても介在物の高摩擦力により携帯電話器は肩と耳との間に挟まれてしっかりと固定できるので、吸盤４は必要不可欠なものではない）。介在物の高さＨが４〜５ｃｍもあれば肩や首の疲れは殆どなくなり、７〜８ｃｍあれば殆ど首を曲げずに通話する事ができる。携帯電話器１と介在物３とを固定する固定具としての吸盤４は必要不可欠なものではないが、あればそれだけ携帯電話器をしっかりと固定できるので、固定具は備える事が望ましいが、上記固定具としては吸盤の他に図２（イ）の如く通し輪６（携帯電話器を通して固定する）、図２（ロ）の如くクリップ７（携帯電話器を挟んで固定する）としても良い。
【０００７】  一般におろし器、千切り器などの調理器具を使用する場合は大根、人参等の野菜が小さくなった時は指の安全を図る為、野菜ホルダーを使用するが、これは釘の様な突起を突き刺して保持するものが一般的である。
しかし、これではきゅうりなどの細いものや長葱の様な抵抗力のないものは保持できない上、長芋の様に長い状態から保持したい場合も倒れて保持できない欠点があった。これらの欠点を解消するには野菜を周囲からホルダーで手で掴む様に保持できる様にする事である。即ち、図３（イ）の様に断面が輪状のホルダー本体８の周囲に指入れ部９を備え、ホルダー本体８及び指入れ部９をゴムなどの柔軟性のある材料で作る様にしてある。指入れ部９の中に指を入れ、野菜はホルダー本体８の中を通す様にして野菜を周囲から手で掴む様に保持するのである。指入れ部９の中に指を入れるから、指は常に安全である。野菜ホルダー全体が柔軟性のある材料で作られている為、軽い力でホルダー本体８の断面の形状を変えて太い野菜から細い野菜まで保持できるが、図示の如く指入れ部９の下端部の断面をＶ字形とすると（コ字形と比較して）より軽い力でホルダー本体８の断面の形状を変える事ができる。１１は野菜の表面に食い込んでしっかりと保持する突起で、硬さが必要であるから、図３（ロ）の如く突起１１を有する基板１０を予めプラスチック等の材料で作っておいて、これをホルダー本体８に形成された穴に嵌め込んで固定する（嵌め込み部材１２を穴に強く押し込む）。もちろんこの場合、ホルダー本体８を金型で成形する段階で金型の内部に予め基板１０を入れておき、これを鋳ぐるむ様な方式で固定しても良い。以上の野菜ホルダーを使用する場合、通常の使い方としては図４（イ）の様にホルダー本体８の中に野菜を通す様にして使うが、図４（ロ）の様に大根などを横に寝かせて千切りする場合や図４（ハ）の様に玉葱をスライス、千切り器でみじん切りする場合（多少とも不揃いになるが略みじん切りが可能）はつかみ部１３、１３′を包丁でカットして作り、ここを野菜ホルダーで掴んで保持する様にする。図４（ニ）は人参などの野菜に予め切り目１４を入れておき（一端部は残して切り離さない）、これを野菜ホルダーで保持して千切り器を使用する事によりみじん切りが簡単にできる様にする使い方である。以上からも明らかの様に本野菜ホルダーによれば、きゅうりの様な細いものでも、長葱の様に（釘の様な突起を突き刺しても）抵抗力がないものでもしっかりと保持できる。又、長芋も長い状態から保持できるので（長芋の表面から汁が出ても突起１１が食い込んでしっかりと保持）、手に汁が付かず、痒くなる事はない。
【図面の簡単な説明】
【０００８】
【図１】本発明による携帯電話の使用方法を示す図。
【図２】本発明における各種固定具を示す図。
【図３】野菜ホルダーを示す図。
【図４】野菜ホルダーを使用するに際しての図。
【符号の説明】  １は携帯電話器、２・３は介在物、４・６・７は固定具、５は紐、８はホルダー本体、９は指入れ部、１０は基板、１１は突起、１２は嵌め込み部材、１３、１３′はつかみ部、１４は切り目である。１５は千切り器である。
【図１】
2011056239.tif 000003
【図２】
2011056239.tif 000004
【図３】
2011056239.tif 000005
【図４】
2011056239.tif 000006